(57)【要約】【課題】配線フィルムと配線基板とが接着により接続される電極接続構造において、配線フィルムが動いても接着がはがれたりしない一定の強度が得られるとともに、配線基板の配線やＶＩＡホールを作成するスペースが電極パッドにより必要以上に占められることのない電極接続構造、ならびに、この電極接続構造を有する液晶表示ユニットを提供する。【解決手段】ドライバＩＣが形成される配線フィルム２０には、縦長の電極パッド２２…が複数並列した状態に形成され、配線基板３０には、配線フィルム２０の電極パッド２２…に対応した位置に縦長の電極パッド３２…が複数並列した状態に形成され、配線基板３０側の複数の電極パッド３２…が、両側に配置された電極パッド３２…が長く、中央側に配置された電極パッド３２…が短く形成された構成とした。【選択図】図２
2008306050.tif 000002
【特許請求の範囲】
【請求項１】
電気配線の形成された配線フィルムと、電気配線の形成された配線基板とを接続する電極接続構造であって、
前記配線フィルムには、縦長の電極パッドが複数並列した状態に形成され、
前記配線基板には、
前記配線フィルムの前記複数の電極パッドに対応した位置に縦長の電極パッドが複数並列した状態に形成されるとともに、
当該配線基板側の複数の電極パッドは、両側に配置された電極パッドが長く、中央側に配置された電極パッドが短く形成され、
前記配線フィルムの複数の電極パッドと前記配線基板の複数の電極パッドとが接着されて電気的に接続されていることを特徴とする電極接続構造。
【請求項２】
前記配線基板の前記中央側の電極パッドの周囲における、前記両側の電極パッドより短くされた範囲に、電気配線が形成されていることを特徴とする請求項１記載の電極接続構造。
【請求項３】
前記配線フィルムの複数の電極パッドは両端側と中央側とで同一長に形成されていることを特徴とする請求項１又は２に記載の電極接続構造。
【請求項４】
前記配線フィルムの複数の電極パッドは、両側に配置された電極パッドが長く、中央側に配置された電極パッドが短く形成されていることを特徴とする請求項１又は２に記載の電極接続構造。
【請求項５】
前記配線フィルムの電極パッドと前記配線基板の電極パッドとが異方性導電接着フィルムにより圧着されていることを特徴とする請求項１〜４の何れか１項に記載の電極接続構造。
【請求項６】
液晶パネルと、
該液晶パネルを駆動するドライバＩＣが設けられた配線フィルムと、
該配線フィルムに信号を供給する配線基板とを備え、
前記配線フィルムと前記配線基板とが請求項１〜５の何れか１項に記載の電極接続構造により接続されていることを特徴とする液晶表示ユニット。
【請求項７】
液晶パネルと、
該液晶パネルを駆動するドライバＩＣが設けられた配線フィルムと、
該配線フィルムに信号を供給する配線基板とを備え、
前記配線フィルムには、
縦長で各々同一長に形成された複数の電極パッドが並列した状態に形成され、
前記配線基板には、
前記配線フィルムの前記複数の電極パッドに対応した位置に縦長の電極パッドが複数並列した状態に形成されるとともに、
当該配線基板側の複数の電極パッドは、両側に配置された電極パッドが長く、中央側に配置された電極パッドが短く形成され、
前記電極パッドの短くされた範囲には電気配線が形成されるとともに、
前記配線フィルムの電極パッドと前記配線基板の電極パッドとが異方性導電接着フィルムにより圧着されていることを特徴とする液晶表示ユニット。
【発明の詳細な説明】
【技術分野】
【０００１】
この発明は、配線フィルムと配線基板との電極接続構造およびこれを利用した液晶表示ユニットに関する。
【背景技術】
【０００２】
従来、例えば液晶表示ユニットなどにおいて、ドライバＩＣが形成されたＣＯＦ（チップオンフィルム）を、ドライバＩＣにデータ信号や駆動電圧を供給するプリント基板に接続するのに、図５に示すような電極パターンを用いた接続構造が採用されている。すなわち、ＣＯＦ８０とプリント基板９０とに縦長の電極パッド８２…，９２…を複数並列させた状態で設けるとともに、これら電極パッド８２…，９２…を重ねた状態で圧着することで、ＣＯＦ８０の配線とプリント基板９０の配線とを電気的に接続するとともに、ＣＯＦ８０とプリント基板９０とを物理的に接着させる。  
【０００３】
また、本願発明に関連する従来技術として、次のような技術の開示があった。例えば、特許文献１には、ドライバＩＣを基板に形成された引出線とフリップチップボンディングにより接続する構成が開示されている。また、特許文献２には、基板の配線パターンとＩＣとを裸線を用いてワイヤボンディングで接続する構成が開示されている。また、特許文献３には、ガラス基板の額縁部にドライバＩＣの電極パターンを接続する技術が開示されている。
【特許文献１】特開昭５７−８５０８１号公報
【特許文献２】特開昭６２−８９９８５号公報
【特許文献３】特開平１１−１４２８７３号公報
【発明の開示】
【発明が解決しようとする課題】
【０００４】
しかしながら、配線フィルムと配線基板とを電極パッドを介して圧着させる場合、ある程度の強度を得るために電極パッドを長めに形成しなければならず、その分、配線基板の縦幅が増すという課題があった。
【０００５】
また、配線フィルムと配線基板とを圧着させた状態で、配線フィルムをさまざまに動かした場合、並列して設けられた複数の電極パッドのうち、両端側の電極パッドには比較的大きなストレスがかかる一方、中央側の電極パッドには大したストレスはかからない。従って、両側から中央側まで全ての電極パッドを一律に長く形成するのはスペース的な無駄が生じていると考えられた。
【０００６】
この発明の目的は、配線フィルムと配線基板とが接着により接続される電極接続構造において、配線フィルムが動いても接着がはがれたりすることのない一定の強度が得られるとともに、配線基板の配線やＶＩＡホールを作成するスペースが電極パッドにより必要以上に占められることのない電極接続構造、ならびに、この電極接続構造を有する液晶表示ユニットを提供することにある。
【課題を解決するための手段】
【０００７】
本発明は、上記目的を達成するため、電気配線の形成された配線フィルムと、電気配線の形成された配線基板とを接続する電極接続構造であって、前記配線フィルムには、縦長の電極パッドが複数並列した状態に形成され、前記配線基板には、前記配線フィルムの前記複数の電極パッドに対応した位置に縦長の電極パッドが複数並列した状態に形成されるとともに、当該配線基板側の複数の電極パッドは、両側に配置された電極パッドが長く、中央側に配置された電極パッドが短く形成され、前記配線フィルムの複数の電極パッドと前記配線基板の複数の電極パッドとが接着されて電気的に接続されている構成とした。
【０００８】
好ましくは、前記配線基板の前記中央側の電極パッドの周囲における、前記両側の電極パッドより短くされた範囲に、電気配線が形成されている構成とすると良い。
【０００９】
具体的には、前記配線フィルムの複数の電極パッドは両側と中央側とで同一長に形成されている構成としても良い。
【００１０】
また、具体的には、前記配線フィルムの複数の電極パッドは、両側に配置された電極パッドが長く、中央側に配置された電極パッドが短く形成されている構成としても良い。
【００１１】
さらに、具体的には、前記配線フィルムの電極パッドと前記配線基板の電極パッドとが異方性導電接着フィルムにより圧着された構成とすることができる。
【００１２】
また、本発明の液晶表示ユニットは、液晶パネルと、液晶パネルを駆動するドライバＩＣが設けられた配線フィルムと、該配線フィルムに信号を供給する配線基板とを備え、前記配線フィルムと前記配線基板とが上述の電極接続構造により接続されている構成とした。
【発明の効果】
【００１３】
本発明に従うと、複数の並列される電極パッドのうち、両端側のものが長く、中央側のものが短く形成されているので、ストレスのかかる両端側においては一定の強度が得られるとともに、ストレスの余りかからない中央側では電極パッドが短くされる分、配線等を配設するスペースを多く確保することが出来るという効果がある。
【発明を実施するための最良の形態】
【００１４】
以下、本発明の実施の形態を図面に基づいて説明する。
【００１５】
図１は、本発明の実施形態の液晶表示ユニットの全体を示す平面図である。
【００１６】
この実施の形態の液晶表示ユニット１は、ガラス上に液晶セルや透明電極が形成された液晶パネル１０と、液晶パネル１０を駆動するゲートドライバ２１ａ…またはソースドライバ２１…が形成されたＣＯＦ（チップオンフィルム）２０…と、ゲートドライバ２１ａ…やソースドライバ２１に電源電圧や各種信号を供給するための回路および配線が形成されたプリント基板３０ａ，３０等から構成される。
【００１７】
上記構成のうち、ＣＯＦ２０と液晶パネル１０、ならびに、ＣＯＦ２０とプリント基板３０，３０ａとは、異方性導電接着フィルムをはさんで互いの電極パッドが押圧されることで、これらの電極パッドが互いに接着され、且つ、電気的に接続されるようになっている。
【００１８】
図２には、図１のＣＯＦ２０およびプリント基板３０との接続部を示した平面図を、図３には、ＣＯＦ２０とプリント基板３０との接着方法を表わした説明図を示す。
【００１９】
ＣＯＦ２０とプリント基板３０との接続構造は、図２と図３に示す通りである。すなわち、図２に示すように、ＣＯＦ２０の縁近傍の一面側には、縦長の複数の電極パッド２２…が並列されて形成され、一方、プリント基板３０の対応する箇所には縦長の複数の電極パッド３２…が並列されて形成されている。
【００２０】
この実施の形態の電極接続構造では、プリント基板３０に並列した状態に形成される複数の電極パッド３２…（１個のＣＯＦ２０の電極パッド２２…に対応して形成される複数の電極パッド３２…）のうち、両側に配置される電極パッド３２…は長く、中央側に配置される電極パッド３２…は短く形成されている。具体的には、両端の２個の電極パッド３２，３２が一番長く、両端から数個目（例えば３個目〜５個目）の電極パッド３２…まで徐々に短くされ、それより中央側の複数の電極パッド３２…が一番短く形成されている。
【００２１】
また、中央側の電極パッド３２…が短く形成されていることで確保されたスペースＳ１には、配線３４や、多層配線の層間を結ぶＶＩＡホール３５などが形成され、有効活用されている。
【００２２】
そして、図３に示すように、ＣＯＦ２０の電極パッド２２…とプリント基板３０の電極パッド３２…とを互いに向かい合わせにし、且つ、その間に異方性導電接着フィルム（ＡＣＦ）５０を挟み混ませた状態で、両者を上下から押圧して両者が圧着されている。
【００２３】
異方性導電接着フィルム５０は、押圧することで接着作用を発揮してＣＯＦ２０の電極パッド２２…とプリント基板３０の電極パッド３２…とを接着させるとともに、縦方向に高い導電性を発揮して接着された一対の電極パッド２２，３２を電気的に導通させる。一方、横方向には絶縁して隣り合う電極パッド２２…，３２…間を電気的に絶縁させる。また、上記のスペースＳ１に形成された配線３４やＶＩＡホール３５は、電極パッド３２と比較してプリント基板３０上に突出されていないため、この部分で異方性導電接着フィルム５０が圧着されて導通されたりすることがない。
【００２４】
以上のように、この実施形態の電極接続構造および液晶表示ユニット１によれば、電極パッド２２…，３２…の圧着によりＣＯＦ２０とプリント基板３０とが接着されるとともに、プリント基板３０の電極パッド３２…がストレスの生じやすい両側は長く、ストレスが生じにくい中央側は短く形成されているので、必要な強度を確保しつつ、中央側のスペースＳ１が電極パッド３２…により無駄に使用されることがない。そして、このスペースＳ１に配線やＶＩＡホールを形成して有効に活用することができ、その分、プリント基板３０の面積の縮小が図れるという効果が得られる。
【００２５】
なお、本発明は、上記実施の形態に限られるものではなく、様々な変更が可能である。例えば、上記実施の形態では、配線フィルムとしてドライバＩＣが設けられたＣＯＦ（チップオンフィルム）を例示したが、フィルム上に配線のみが形成されたＦＰＣ（フレキシブルプリント配線）であっても、本発明の電極接続構造を同様に適用して、同様の作用効果を得ることが出来る。また、配線基板もプリント配線のみでなくガラス上に配線が形成されたガラス配線基板など種々のものに適用することができる。
【００２６】
また、図４のＣＯＦの電極パッドの変形例に示すように、ＣＯＦ２０側の電極パッド２２ｂも、両側が長く、中央側が短くなるように形成しても良い。その他、実施の形態で示した細部等は発明の趣旨を逸脱しない範囲で適宜変更可能である。
【図面の簡単な説明】
【００２７】
【図１】本発明の実施形態の液晶表示ユニットの全体を示す平面図である。
【図２】図１のＣＯＦとプリント基板との接続部を示した平面図である。
【図３】図２のＣＯＦとプリント基板との接着方法を示した説明図である。
【図４】プリント基板と接続されるＣＯＦの電極パッドの変形例を示した平面図である。
【図５】従来のＣＯＦとプリント基板との接続部を示した平面図である。
【符号の説明】
【００２８】
１      液晶表示ユニット
１０    液晶パネル
２０    ＣＯＦ
２１    ソースドライバ
２１ａ  ゲートドライバ
２２，２２ｂ  電極パッド
３０，３０ａ  プリント基板
３２    電極パッド
３４    配線
３５    ＶＩＡホール
【図１】
2008306050.tif 000003
【図２】
2008306050.tif 000004
【図３】
2008306050.tif 000005
【図４】
2008306050.tif 000006
【図５】
2008306050.tif 000007